(57)【要約】【課題】ガラス割れ検出装置が、ガラスの割れを表す信号を、警報装置に無線で送信するようにしたセキュリティシステムにおいて、無線通信の使用時に生じる問題を防ぐ。【解決手段】ガラス割れ検出装置は、ガラスが割られ、内臓するコンパレータの出力が「Ｈｉ」の時（Ｓ１２０：ＹＥＳ）、ガラスの割れを表すフレーム信号を送信周波数「ｆ１」で送信し（Ｓ１６０）、次にフレーム信号を送信周波数「ｆ２」で送信し（Ｓ１８０）、窓ガラス毎に設定された休止期間ウエイトする（Ｓ２００）。これらを規定時間になるまで繰り返し（Ｓ２１０）、その後、送信周波数「ｆ２」のフレーム信号だけを送信する（Ｓ２３０）。この結果、フレーム信号が混信する電波が送信されていても警報装置での警報動作ができ、システム外部での混信を抑えることができる。その他、コンパレータの入力点を接地する模擬信号スイッチを備える。【選択図】図３
2004145653.tif 000002
【特許請求の範囲】
【請求項１】
ガラスに設置されて、該ガラスの割れた状態を検知可能に構成され、該ガラスの割れを検知すると、ガラスが割れたことを表すガラス割れ信号を、無線で繰り返し送信するガラス割れ検出装置と、
前記ガラス割れ信号を受信可能に構成され、該ガラス割れ信号を受信すると警報動作を行う警報装置と、
を備えるセキュリティシステムにおいて、
前記ガラス割れ検出装置は、複数種類の送信周波数による前記ガラス割れ信号を、送信可能に構成され、
前記警報装置は、前記ガラス割れ検出装置が送信する複数種類の送信周波数によるガラス割れ信号を受信可能に構成されている、
ことを特徴とするセキュリティシステム。
【請求項２】
複数のガラスに夫々設置された、複数のガラス割れ検出装置を備えたことを特徴とする請求項１記載のセキュリティシステム。
【請求項３】
前記ガラス割れ検出装置各々は、前記ガラス割れ信号の送信周波数と送信タイミングとが指定された送信パターンで、前記ガラス割れ信号を送信するよう構成され、
該ガラス割れ検出装置各々に設定される前記送信パターンの内、全て、若しくは１つを除く前記送信パターンは、あらかじめ規定された送信周波数のガラス割れ信号について送信しない休止期間を含み、
該休止期間は、前記ガラス割れ検出装置でガラス割れ信号を１回送信する期間以上の期間で、かつ前記ガラス割れ検出装置毎に違う期間である、
ことを特徴とする請求項２記載のセキュリティシステム。
【請求項４】
前記ガラス割れ検出装置は、
前記ガラス割れ信号の送信を開始してから、前記警報装置が該ガラス割れ信号を受信するのに十分な時間として設定された受信可能時間以降に、送信中の前記ガラス割れ信号の内、あらかじめ規定された送信周波数での前記ガラス割れ信号の送信を停止するよう構成される、
ことを特徴とする請求項１から請求項３にいずれか記載のセキュリティシステム。
【請求項５】
複数あるガラス毎に設置されて、該ガラスの割れた状態を検知可能に構成され、該ガラスの割れを検知すると、ガラスが割れたことを表すガラス割れ信号を、無線で繰り返し送信する複数のガラス割れ検出装置と、
前記ガラス割れ信号を受信可能に構成され、該ガラス割れ信号を受信すると警報動作を行う警報装置と、
を備えるセキュリティシステムにおいて、
前記ガラス割れ検出装置各々は、ガラス割れ信号の送信タイミングが指定された送信パターンで、前記ガラス割れ信号を送信可能に構成され、
該ガラス割れ検出装置各々に設定される前記送信パターンの内、全て、若しくは１つを除く前記送信パターンは、前記ガラス割れ検出装置でガラス割れ信号を１回送信する期間以上の期間で、かつ前記ガラス割れ検出装置毎に違う期間である休止期間を含む、
ことを特徴とするセキュリティシステム。
【請求項６】
前記ガラス割れ検出装置は、
前記ガラス割れ信号の送信を開始してから、前記警報装置が該ガラス割れ信号を受信するのに十分な時間として設定された受信可能時間以降に、前記ガラス割れ信号の送信を停止するよう構成される、
ことを特徴とする請求項５記載のセキュリティシステム。
【請求項７】
ガラスに設置されて、該ガラスの割れた状態を検知可能に構成され、該ガラスの割れを検知すると、ガラスが割れたことを表すガラス割れ信号を、無線で繰り返し送信するガラス割れ検出装置と、
前記ガラス割れ検出装置と離れた場所にあり、前記ガラス割れ信号を受信可能に構成され、該ガラス割れ信号を受信すると警報動作を行う警報装置と、
を備えるセキュリティシステムにおいて、
前記ガラス割れ検出装置は、前記ガラス割れ信号の送信を開始してから、前記警報装置が該ガラス割れ信号を受信するのに十分な時間として設定された受信可能時間以降に、前記ガラス割れ信号の送信を停止するよう構成されることを特徴とするセキュリティシステム。
【請求項８】
前記ガラス割れ検出装置は、
外部からの機械的入力により、ガラスの割れを検知した状態となるよう、前記ガラスが割れた状態を模擬する模擬入力手段、
を備えることを特徴とする請求項１から請求項７にいずれか記載のセキュリティシステム。
【請求項９】
車両に搭載されて用いられることを特徴とした請求項１から請求項８にいずれか記載のセキュリティシステム。
【請求項１０】
ガラスに設置され、該ガラスの割れた状態を検知する検出手段と、
前記検出手段が該ガラスの割れを検知すると、ガラスが割れたことを表すガラス割れ信号を、複数種類の送信周波数による無線で送信する送信手段と、
前記送信手段で送信するガラス割れ信号の、送信周波数及び送信タイミングを制御する送信制御手段と、
を備えることを特徴とするガラス割れ検出装置。
【請求項１１】
前記送信制御手段は、ガラス割れ信号の送信周波数と送信タイミングとが指定された送信パターンで、ガラス割れ信号を送信するよう前記送信手段を制御し、
前記送信パターンは、あらかじめ規定された送信周波数のガラス割れ信号について送信しない休止期間を含み、
該休止期間は、前記ガラス割れ検出装置でガラス割れ信号を１回送信する期間以上の期間で、かつ他のガラス割れ検出装置の前記休止期間と違う期間となるような外部からの指定に基づく期間である、
ことを特徴とする請求項１０記載のガラス割れ検出装置。
【請求項１２】
前記送信制御手段は、
前記送信手段が前記ガラス割れ信号の送信を開始してから、前記警報装置が該ガラス割れ信号を受信するのに十分な時間として設定された受信可能時間以降に、送信中の前記ガラス割れ信号の内、あらかじめ規定の送信周波数での前記ガラス割れ信号の送信を停止するよう前記送信手段を制御する、
ことを特徴とする請求項１０又は請求項１１記載のガラス割れ検出装置。
【請求項１３】
ガラスに設置され、該ガラスの割れた状態を検知する検出手段と、
該検出手段がガラスの割れを検知すると、ガラスが割れたことを表すガラス割れ信号を無線で繰り返し送信する送信手段と、
該送信手段で送信するガラス割れ信号の、送信タイミングを制御する送信制御手段とを備え、
前記送信制御手段は、ガラス割れ信号の送信タイミングが指定された送信パターンで、前記ガラス割れ信号を送信するよう送信手段を制御し、
前記送信パターンは、ガラス割れ信号について送信しない休止期間を含み、
該休止期間は、前記送信手段でガラス割れ信号を１回送信する期間以上の期間で、かつ他のガラス割れ検出装置の前記休止期間と違う期間となるような外部からの指定に基づく期間である、
ことを特徴とするガラス割れ検出装置。
【請求項１４】
前記送信制御手段は、
前記送信手段が前記ガラス割れ信号の送信を開始してから、前記警報装置が前記ガラス割れ信号を受信するのに十分な時間として設定された受信可能時間以降に、前記ガラス割れ信号の送信を停止するよう前記送信手段を制御する、
ことを特徴とする請求項１３記載のガラス割れ検出装置。
【請求項１５】
ガラスに設置されて、該ガラスの割れた状態を検知する検出手段と、
該検出手段がガラスの割れを検知すると、ガラスが割れたことを表すガラス割れ信号を無線で繰り返し送信する送信手段と、
該送信手段で送信するガラス割れ信号の送信タイミングを制御する送信制御手段とを備え、
前記送信制御手段は、前記送信手段が前記ガラス割れ信号の送信を開始してから、前記警報装置が該ガラス割れ信号を受信するのに十分な時間として設定された受信可能時間以降に、前記ガラス割れ信号の送信を停止するよう前記送信手段を制御する、
ことを特徴とするガラス割れ検出装置。
【請求項１６】
外部からの機械的入力により、ガラスの割れを検知した状態となるよう、前記ガラスが割れた状態を模擬する模擬入力手段を備えることを特徴とする請求項１０から請求項１５にいずれか記載のガラス割れ検出装置。
【請求項１７】
前記検出手段は、
電源の電源電圧を分圧する複数の抵抗体と、
前記電源電圧の分圧値を検出する分圧検出手段とを備え、
前記複数の抵抗体の内少なくとも一つの抵抗体は、ガラスの表面若しくは内部に設置され、
前記分圧検出手段にて検出される分圧値が変化した場合に、前記ガラスの割れ状態と判定して検知し、
前記模擬入力手段は、外部からの機械的入力により、前記分圧検出手段の分圧値の検出点を接地する、
ことを特徴とする請求項１６記載のガラス割れ検出装置。
【請求項１８】
車両に搭載されて用いられることを特徴とする請求項１０から請求項１７にいずれか記載のガラス割れ検出装置。
【発明の詳細な説明】
【０００１】
【発明の属する技術分野】
本発明は、ガラス割れ検出装置にてガラスの割れを検出し、ガラスが割れた状態を表す信号を、無線を用いて警報装置に伝達し警報動作を行うセキュリティシステム及び、当該セキュリティシステムに用いるガラス割れ検出装置に関する。
【０００２】
【従来の技術】
従来、セキュリティシステムとしては、車両用盗難防止装置、家庭用防犯装置、プラント等の設備の異常検出装置などが知られている。特に、車両用盗難防止装置として、例えば、車体の窓ガラスの破壊時に発生する衝撃音を、車内に設けたマイクロホンを備えるガラス割れ検出装置により検出し、該ガラス割れ検出装置がガラス割れを検出したときに警報装置を作動させるようにしたものなどが知られている（特許文献１、特許文献２参照）。
【０００３】
【特許文献１】
実開昭５５−１６１６４７号（第１頁、第１図）
【特許文献２】
特開昭５７−１２３４８９号公報（第２−２４頁、第１図）
【０００４】
【発明が解決しようとする課題】
しかしながら、かかる従来技術の構成によると、ガラス割れ検出装置は通常の集音用マイクロホンから成るので、検出される衝撃音は専ら可聴周波数帯域（特に低周波領域）の音波であり、窓ガラスの破壊音のみならず、車外の騒音、例えば接近した他の車のクラクション音や広報車からの拡声音等をも誤検出してしまい、警報装置の誤動作を生じさせやすく、実用に即しないという問題がある。
【０００５】
そこで、ガラスの破壊音を検出することなく、精度の高いガラス割れを検出することが可能なガラス割れ検出装置として、ガラスの内部若しくは表面にセンサとして抵抗体を設置し、ガラスが割られたときに、その抵抗体が断線することによる抵抗増を検出してガラスの割れを検出する装置など、ガラスに対しガラスの割れを検出するセンサを取り付けるガラス割れ検出装置が考えられている。
【０００６】
ところで、これらガラスに取り付けたセンサによりガラス割れを検出するガラス割れ検出装置においては、センサを取り付けるガラスが開閉するため、ガラス割れ検出装置から警報装置までの配線をガラスの開閉動作に対応するよう工夫が必要であった。このため、このガラス割れ検出装置を用いたセキュリティシステムの利便性を高めるため、ガラス割れ検出装置と、警報装置との間の信号伝達に無線通信を用いて、この間の配線を無くすことが考えられている。
【０００７】
これにより、ガラス割れ検出装置及び警報装置を取り付ける際に、配線を気にすることなく自由に取り付けることが可能となり、セキュリティシステムとして車両への搭載性を向上することができる。
しかし、このような利点がある反面、無線通信を用いるようにした時、ガラス割れ検出装置が送信する送信周波数と同じ送信周波数の無線信号が、車内又は車外で、ガラス割れ検出装置の無線信号と同時に送信されていると、ガラス割れ検出装置が送信した無線信号と混信してしまい、警報装置にてガラス割れ検出装置からの無線信号を正常に受信できない場合があるという問題や、
ガラス割れ検出装置が送信した無線信号により、他の機器に対して妨害が発生する問題や、
無線通信を用いるようにしたがために、ガラス割れ検出装置への電気的入力の手段が省略され、ガラス割れ検出装置の機能確認ができなくなってしまう問題など、各種の問題が発生することが考えられる。
【０００８】
本発明は、こうした問題点に鑑みなされたものであり、無線通信を用いたセキュリティシステム及び、該セキュリティシステムにて用いられるガラス割れ検出装置における、無線通信の使用に伴い発生する混信による通信不良の問題を防止することを目的とする。
【０００９】
【課題を解決するための手段】
かかる目的を達成するためになされた請求項１記載のセキュリティシステムにおいては、ガラスに設置され、ガラスの割れた状態を検知可能に構成されたガラス割れ検出装置が、ガラスの割れを検知すると、ガラスが割れたことを表すガラス割れ信号を無線で繰り返し送信し、ガラス割れ信号を受信可能に構成された警報装置が、該ガラス割れ信号を受信すると警報動作を行う。
【００１０】
そして、ガラス割れ検出装置は、複数種類の送信周波数によるガラス割れ信号を送信可能に構成され、警報装置は、ガラス割れ検出装置が送信する複数種類の送信周波数によるガラス割れ信号を受信可能に構成されている。
この結果、本発明のセキュリティシステムによれば、複数種類の送信周波数でガラス割れ信号を送受信するため、送信するガラス割れ信号の内一つの送信周波数のガラス割れ信号が、外部からの無線信号と混信しても、他の送信周波数でのガラス割れ信号を警報装置で受信できるため、外部からの無線信号との混信によるガラス割れ信号の伝達不良の可能性を低くできる。
【００１１】
尚、ガラス割れ検出装置での、ガラス割れの検知方法としては種々有り、いずれの方法によっても良い。例えば、センサとして、ガラスに透明な導電体を貼っておき、ガラスが割られると増加する透明な導電体の抵抗を検知してガラスの割れを検出する方法や、ガラスに振動を検知するセンサを貼り、ガラスの振動を検知してガラスの割れを検出する方法などでも良い。
【００１２】
また、ガラス割れ検出装置における複数種類の送信周波数によるガラス割れ信号の送信は、複数の送信機を用いて、送信機毎に違う送信周波数のガラス割れ信号を送信するものであっても良いし、一つの送信機にて、時分割で送信する周波数を変えて送信するものであってもよい。
【００１３】
また、警報装置における複数種類の送信周波数でのガラス割れ信号の受信は、複数の受信機を用いて各送信周波数の信号を受信するものであっても良いし、一つの受信機にて、時分割で受信する周波数を変えて受信するようなものであっても良い。
【００１４】
ところで、セキュリティシステムが装備される箇所には、複数のガラスがある場合が多く、ガラス割れ検出装置が設置されていないガラスが割られてしまっては防犯にならないので、防犯に必要なガラスの全てにガラス割れ検出装置を設置するのが望ましい。例えば４ドアの車両の場合、ドアの窓ガラス毎に計４つのガラス割れ検出装置を設置して、各窓ガラスのガラス割れを検出できるようにすることが望ましい。
【００１５】
従って、請求項２記載のセキュリティシステムにおいては、複数のガラスに夫々設置された、複数のガラス割れ検出装置を備える。
また、請求項２記載のセキュリティシステムのように、複数のガラスに夫々ガラス割れ検出装置を設置した場合、これらのうち２箇所以上のガラスが同時に割られ、２つ以上のガラス割れ検出装置からガラス割れ信号が同時に出力されると、これらのガラス割れ信号同士が混信してしまい、警報装置でガラス割れ信号が正しく受信されず、警報動作がされないという問題がある。このように、システム内部の無線信号による混信の影響が出る場合がある。
【００１６】
この問題は、ガラス割れ検出装置毎にガラス割れ信号の送信周波数を変えれば防げる問題であるが、このためには警報装置で、ガラス割れ検出装置の数だけ違う送信周波数によるガラス割れ信号を受信できるようにする必要があり、警報装置の規模が大きくなってしまい得策ではない。そこで、こうしたシステム内部の無線信号による混信の影響を抑える対策としては、請求項３のセキュリティシステムのように、ガラス割れ信号を送信の際に、ガラス割れ信号を送信しない休止期間を設けると良い。
【００１７】
即ち、請求項３記載のセキュリティシステムにおいては、ガラス割れ検出装置各々は、ガラス割れ信号の送信周波数と送信タイミングとが指定された送信パターンでガラス割れ信号を送信するよう構成され、ガラス割れ検出装置各々に設定される送信パターンの内、全て、若しくは１つを除く送信パターンは、あらかじめ規定された送信周波数のガラス割れ信号について送信しない休止期間を含む。そして、この休止期間は、ガラス割れ検出装置でガラス割れ信号を１回送信する期間以上の期間で、かつガラス割れ検出装置毎に違う期間である。
【００１８】
この結果、本発明（請求項３）のセキュリティシステムによれば、複数のガラスが同時に割られて、複数のガラス割れ検出装置が同時にガラス割れ信号を送信するようになった時には、ガラス割れ検出装置毎に休止期間が違うため、ガラス割れ検出装置毎のガラス割れ信号の送信タイミングが、ガラス割れ信号を繰り返し送信する度にずれる。そして、ガラス割れ信号を繰り返し送信する内に、一つのガラス割れ検出装置がガラス割れ信号を送信するときに、他方が休止期間となるタイミング（典型的な例としては、一つのガラス割れ検出装置が、ガラス割れ信号を送信開始した時に、その他のガラス割れ検出装置全てが、ガラス割れ信号の送信を休止するタイミングとなるとき。）が生じ、休止期間がガラス割れ信号を１回送信する時間以上あるため、この間で警報装置がガラス割れ信号を受信し、警報動作を行うことができる。
【００１９】
このように、ガラス割れ信号の送信周波数が共通のガラス割れ検出装置が複数あっても、警報装置に警報動作を行わせることができ、セキュリティシステム内部の無線信号による混信の影響を抑えることができる。
尚、本発明の、休止期間を含む送信パターンで送信するガラス割れ検出装置同士では、ガラス割れ信号を繰り返し送信する内に、どのガラス割れ検出装置もガラス割れ信号を送信しない期間が生じる。これに対し、セキュリティシステムとしては、１つのガラス割れ信号しか送信されない期間があれば良いため、休止期間を含まない送信パターンで送信するガラス割れ検出装置がセキュリティシステム中に１つまであっても良い。
【００２０】
また、複数種類の送信周波数で送信されるガラス割れ信号のうち、違う送信周波数のガラス割れ信号同士は、混信の影響は考慮しなくて良いため、休止期間とは、ある１つの送信周波数のガラス割れ信号に着目して、送信されない期間があれば良い。つまり、全ての種類の送信周波数でのガラス割れ信号にて休止期間を持つ必要は無く、複数種類の送信周波数で送信されるガラス割れ信号のうち、あらかじめ規定の送信周波数のガラス割れ信号に対して休止期間を持つ送信パターンであれば良い。
【００２１】
一方、ガラス割れ検出装置が送信するガラス割れ信号が、他の機器に対し混信の影響を及ぼす場合がある。例えば、コスト低減などのために、車両のドアのロック／アンロックを行う指令を送信するキーレスエントリー送信機と、ガラス割れ検出装置とが、同じ送信周波数の無線信号を用い、受信を一つの受信装置（この場合警報装置）で行うような場合、ガラス割れ検出装置は、ガラスが割られるとガラス割れ信号を繰り返し送信し続けるため、ガラスが割られた後キーレスエントリー送信機から信号を送信しても、キーレスエントリー送信機からの信号はガラス割れ信号と混信してしまい、警報装置で受信されなくなる。このため、セキュリティシステムが警報動作中には、キーレスエントリー送信機からの信号が警報装置で受信されないためドアのロック／アンロックが出来ず、また、ドアのロック／アンロックにより警報動作が解除されるようになっていても、キーレスエントリー送信機では、セキュリティシステムの警報の解除が出来ないという問題が生ずる。
【００２２】
これに対し、請求項４記載のセキュリティシステムにおいては、ガラス割れ検出装置が、ガラス割れ信号の送信を開始してから、警報装置が該ガラス割れ信号を受信するのに十分な時間として設定された受信可能時間以降に、送信中のガラス割れ信号の内、あらかじめ規定された送信周波数でのガラス割れ信号の送信を停止するよう構成される。
【００２３】
この結果、本発明（請求項４）のセキュリティシステムによれば、ガラス割れ信号が、受信可能時間以降には送信を停止するため、キーレスエントリー送信機などのガラス割れ検出装置と同じ送信周波数で送信する機器からの無線信号が、対応する受信装置で受信されるようになり、ガラス割れ検出装置からのガラス割れ信号が他の機器へ影響するのを抑えることができる。
【００２４】
尚、ガラス割れ検出装置で用いられる複数の送信周波数の内、受信可能時間以降に停止する送信周波数は、キーレスエントリー送信機など、同じ車内での使用が想定され、混信が懸念される特定の送信周波数に限定して規定しても良いし、全ての送信周波数に対して規定し停止するようにしても良い。
【００２５】
また、受信可能時間としては、セキュリティシステムの使用条件に合わせて種々の時間に設定される。例えば、ガラス割れ信号の送受信に特に障害が無い環境であれば、ガラス割れ信号を１回送信するだけの時間を設定しても良いし、請求項３でのようなセキュリティシステム内部の無線信号による混信の影響を抑えるようにしたシステムでの使用を考えると、警報装置がガラス割れ信号を受信するのに十分な時間として、セキュリティシステム内部のガラス割れ検出装置すべてがガラス割れ信号を送信するような状態になった時に、ガラス割れ信号の送信を繰り返して、１つのガラス割れ検出装置以外全てが休止期間となるまでの時間について、最悪の状態を想定して設定するようにしても良い。
【００２６】
また、受信可能時間以降でのガラス割れ信号の送信の停止は、送信を停止してから、ずっと送信を停止したままでも良いし、キーレスエントリー送信機などの特定の機器からの信号の出力が想定される期間などで区切って送信を再開しても良い。
【００２７】
ところで、請求項３記載のセキュリティシステムでの、セキュリティシステム内部の無線信号による混信の影響を抑えることができる効果は、請求項１又は請求項２記載のセキュリティシステムに関連したもので無くても、請求項５記載のセキュリティシステムのように、独立の効果としてセキュリティシステムに持たせても良い。
【００２８】
即ち、請求項５記載のセキュリティシステムにおいては、複数あるガラス毎に設置されて、該ガラスの割れた状態を検知可能に構成された複数のガラス割れ検出装置が、ガラスの割れを検知すると、ガラスが割れたことを表すガラス割れ信号を、無線で繰り返し送信し、前記ガラス割れ信号を受信可能に構成された警報装置が、ガラス割れ信号を受信すると警報動作を行う。
【００２９】
そして、ガラス割れ検出装置各々は、ガラス割れ信号の送信タイミングを指定した送信パターンでガラス割れ信号を送信可能に構成され、ガラス割れ検出装置各々に設定される前記送信パターンの内、全て、若しくは１つを除く送信パターンは、ガラス割れ検出装置でガラス割れ信号を１回送信する期間以上の期間で、かつガラス割れ検出装置毎に違う期間である休止期間を含む。
【００３０】
この結果、本発明（請求項５）のセキュリティシステムによれば、請求項３記載のセキュリティシステム同様、セキュリティシステム内部の無線信号による混信の影響を抑えることができる。
また、この請求項５記載のセキュリティシステムに対し、請求項４記載のセキュリティシステムでの、ガラス割れ検出装置からのガラス割れ信号が他の機器へ影響するのを抑える効果を、請求項６記載のセキュリティシステムのようにして持たせても良い。
【００３１】
即ち、請求項６記載のセキュリティシステムにおいては、請求項５記載のセキュリティシステムであって、ガラス割れ検出装置が、ガラス割れ信号の送信を開始してから、警報装置が該ガラス割れ信号を受信するのに十分な時間として設定された受信可能時間以降に、送信中のガラス割れ信号の送信を停止するよう構成される。
【００３２】
また、請求項４及び請求項６記載のセキュリティシステムでの、ガラス割れ検出装置からのガラス割れ信号が他の機器へ影響するのを抑える効果は、請求項７記載のセキュリティシステムのように独立に実現するものであっても良い。
即ち、請求項７記載のセキュリティシステムにおいては、ガラスに設置されて、ガラスの割れた状態を検知可能に構成されたガラス割れ検出装置が、ガラスの割れを検知すると、ガラスが割れたことを表すガラス割れ信号を、無線で繰り返し送信し、ガラス割れ信号を受信可能に構成された警報装置が、ガラス割れ信号を受信すると警報動作を行う。
【００３３】
そして、ガラス割れ検出装置は、ガラス割れ信号の送信を開始してから、警報装置が該ガラス割れ信号を受信するのに十分な時間として設定された受信可能時間以降に、ガラス割れ信号の送信を停止する。
ところで、ガラス割れ検出装置と警報装置が有線で繋がれている場合には、ガラス割れ検出装置に、既存の配線を用いて電気的指令を送れるようにするのは容易であり、ガラス割れ検出装置にテスト動作を行う電気的指令を送り、ガラス割れ検出装置が一時的にガラス割れ信号を出力するようにして、セキュリティシステムの動作確認を行うようにできる。しかし、無線信号を用いてガラス割れ検出装置と警報装置との間で通信を行う場合、ガラス割れ検出装置を、設置個所内部に埋め込むと、電気的な指令を与えるのは困難（ガラス割れ検出装置側に無線の受信装置を新たに持たせれば、可能であるが、機能確認のためだけに受信装置を持たせることは困難である。）である。このため、このようにガラス割れ検出装置を、設置箇所内部に埋め込んだ場合の動作確認は、実際にガラスを割ってみるしか方法がない。
【００３４】
これに対し、請求項８記載のセキュリティシステムにおいては、ガラス割れ検出装置の模擬入力手段が、外部からの機械的入力により、ガラス割れ検出装置がガラスの割れを検知した状態となるよう、ガラスが割れた状態を模擬する。
この結果、本発明（請求項８）のセキュリティシステムによれば、模擬入力手段が、外部からの機械的入力により、ガラスが割れた状態を模擬する場合でも、ガラス割れ検出装置を、ガラス割れを検知した状態にできる。これにより、ガラス割れ検出装置からガラス割れ信号が送信され、警報装置が動作するので、実際にガラスを割ることなくセキュリティシステムの動作を確認できる。
【００３５】
尚、ガラス割がれた状態の模擬は、ガラス割れの検出の方法に応じて種々の方法があり、例えば、ガラスに貼り付けたセンサからの信号を基にガラス割れを検知する方法の場合、センサの出力点に信号発生器つないでおき、備え付けのスイッチを閉にすると、信号発生器が動作してガラスが割れたときにセンサが出力する信号を出力するようにした物であっても良いし、センサからの出力の変動を検知する方法の場合、センサの出力点をスイッチでグランドとつなぎ、スイッチを閉にすることによりグランド電圧に低下させる方法や、逆に電源につなぎ電圧を上昇させるようにしてセンサ出力を変動させるものであってもよい。
【００３６】
また、模擬入力手段は、請求項１〜請求項７にいずれか記載のセキュリティシステムに備えると良いが、単に、ガラスが割れたことを表すガラス割れ信号を無線で送信するガラス割れ検出装置と、ガラス割れ信号を受信すると警報動作を行う警報装置とからなるセキュリティシステムであれば、どのようなセキュリティシステムに備えられるものであっても良く、同様の効果を得ることができる。
【００３７】
一方、車両にて用いるセキュリティシステムの場合、車両には種々の無線を使用する機器が使用され、種々の無線信号が飛び交う場所に移動するなど、車両内外でガラス割れ信号と同じ送信周波数の無線信号が使用され、混信が発生する状況に遭遇する可能性が高く、また車両内に複数のガラスがある場合がほとんどで、複数のガラス割れ検出装置が用いられる。従って、前述の発明（請求項１から請求項８）のセキュリティシステムを、請求項９記載のように車両に搭載して用いることにより、その効果をより発揮できる。
【００３８】
一方、請求項１０記載のガラス割れ検出装置においては、ガラスに設置された検出手段が、ガラスの割れた状態を検知し、検出手段がガラスの割れを検知すると送信手段が、ガラスが割れたことを表すガラス割れ信号を、複数種類の送信周波数による無線で送信し、送信制御手段が、送信手段で送信するガラス割れ信号の送信周波数及び送信タイミングを制御する。
【００３９】
この結果、本発明（請求項１０）のガラス割れ検出装置によれば、請求項１記載のセキュリティシステムのガラス割れ検出装置として用いることにより、請求項１記載のセキュリティシステムでの外部からの無線信号に対し、混信の影響を抑えることができる。
【００４０】
また、請求項１１記載のガラス割れ検出装置においては、送信制御手段が、ガラス割れ信号の送信周波数と送信タイミングとが指定された送信パターンで、ガラス割れ信号を送信するよう送信手段を制御する。そして、送信パターンは、あらかじめ規定された送信周波数のガラス割れ信号について送信しない休止期間を含み、この休止期間は、ガラス割れ検出装置でガラス割れ信号を１回送信する期間以上の期間で、かつ他のガラス割れ検出装置の休止期間と違う期間となるような外部からの指定に基づく期間である。
【００４１】
この結果、本発明（請求項１１）のガラス割れ検出装置によれば、請求項３記載のセキュリティシステムに用いることにより、セキュリティシステム内部の無線信号による混信の影響を抑えることができる。
また、請求項１２記載のガラス割れ検出装置において、送信制御手段は、送信手段がガラス割れ信号の送信を開始してから、警報装置がガラス割れ信号を受信するのに十分な時間として設定された受信可能時間以降に、送信中のガラス割れ信号の内、あらかじめ規定の送信周波数でのガラス割れ信号の送信を停止するよう送信手段を制御する。
【００４２】
この結果、本発明（請求項１２）のガラス割れ検出装置によれば、請求項４記載のセキュリティシステムに用いることにより、セキュリティシステム内部の無線信号による混信の影響を抑えることができる。
また、請求項１３記載のガラス割れ検出装置においては、ガラスに設置された検出手段が、ガラスの割れた状態を検知し、検出手段がガラスの割れを検知すると送信手段が、ガラスが割れたことを表すガラス割れ信号を無線で繰り返し送信し、送信制御手段が、送信手段で送信するガラス割れ信号の、送信タイミングを制御する。そして、送信制御手段は、ガラス割れ信号の送信タイミングが指定された送信パターンで、ガラス割れ信号を送信するよう送信手段を制御し、この送信パターンは、ガラス割れ信号について送信しない休止期間を含み、この休止期間は、送信手段でガラス割れ信号を１回送信する期間以上の期間で、かつ他のガラス割れ検出装置の休止期間と違う期間となるような外部からの指定に基づく期間である。
【００４３】
この結果、本発明（請求項１３）のガラス割れ検出装置によれば、請求項５記載のセキュリティシステムに用いることにより、セキュリティシステム内部の無線信号による混信の影響を抑えることができる。
また、請求項１４記載のガラス割れ検出装置においては、送信手段がガラス割れ信号の送信を開始してから、警報装置がガラス割れ信号を受信するのに十分な時間として設定された受信可能時間以降に、送信制御手段が、ガラス割れ信号の送信を停止するよう送信手段を制御する。
【００４４】
この結果、本発明（請求項１４）のガラス割れ検出装置によれば、請求項６記載のセキュリティシステムに用いることにより、ガラス割れ検出装置からのガラス割れ信号が他の機器へ影響するのを抑えることができる。
また、請求項１５記載のガラス割れ検出装置においては、ガラスに設置された検出手段が、ガラスの割れた状態を検知し、検出手段がガラスの割れを検知すると送信手段が、ガラスが割れたことを表すガラス割れ信号を無線で繰り返し送信し、送信制御手段が、送信手段で送信するガラス割れ信号の送信タイミングを制御する。
【００４５】
そして、送信制御手段は、送信手段がガラス割れ信号の送信を開始してから、警報装置がガラス割れ信号を受信するのに十分な時間として設定された受信可能時間以降に、ガラス割れ信号の送信を停止するよう送信手段を制御する。
この結果、本発明（請求項１５）のガラス割れ検出装置によれば、請求項７記載のセキュリティシステムに用いることにより、ガラス割れ検出装置からのガラス割れ信号が他の機器へ影響するのを抑えることができる。
【００４６】
また、請求項１６記載のガラス割れ検出装置においては、模擬入力手段が、外部からの機械的入力により、ガラス割れ検出装置がガラスの割れを検知した状態となるよう、ガラスが割れた状態を模擬する。
この結果、本発明（請求項１６）のガラス割れ検出装置によれば、請求項８記載のセキュリティシステムに用いることにより、実際にガラスを割ることなくセキュリティシステムの動作を確認できる。
【００４７】
尚、模擬入力手段は、請求項１０〜請求項１５にいずれか記載のガラス割れ検出装置に備えると良いが、単に、ガラスの割れを検知する検出手段と、ガラスが割れたことを表すガラス割れ信号を無線で送信する送信手段とからなるガラス割れ検出装置であれば、どのようなガラス割れ検出装置に備えられても良く、同様の効果を得ることができる。
【００４８】
また、請求項１７記載のガラス割れ検出装置において、電源の電源電圧を分圧する複数の抵抗体と、電源電圧の分圧値を検出する分圧検出手段とを備える検出手段は、複数の抵抗体の内少なくとも一つの抵抗体が、ガラスの表面若しくは内部に設置され、分圧検出手段にて検出される分圧値が変化した場合に、ガラスの割れ状態と判定して検知し、模擬入力手段は、外部からの機械的入力により、分圧検出手段の分圧値の検出点を接地する。
【００４９】
この結果、本発明（請求項１７）のガラス割れ検出装置によれば、模擬入力手段の機械的入力として、検出点を接地できればよく、オン／オフスイッチなどの簡易な機構を追加するだけで模擬入力手段を実現できる。
また、前述の発明（請求項１０から請求項１７）のガラス割れ検出装置は、請求項９記載のセキュリティシステム同様、請求項１８記載のガラス割れ検出装置のように車両に搭載され用いられると、その効果をより発揮できる。
【００５０】
【発明の実施の形態】
以下に本発明の実施例を図面と共に説明する。
本実施例のセキュリティシステムは、図１に示すように、車両のドア３の窓ガラス４に設置されたガラス割れ検出装置２と、当該車両内に設置された警報装置２０とで構成され、窓ガラス４が割られた場合に、ガラス割れ検出装置２において、窓ガラス４に貼り付けたセンサ９の抵抗値が変化するのを検知して、トランスミッタモジュール（以降Ｔｘモジュールと呼ぶ。）１０からガラスが割れたことを表すガラス割れ信号をアンテナ８を介して無線で送信して、警報装置２０において、ガラス割れ検出装置２から送信されたガラス割れ信号を、アンテナ２１を介してｆ１リモートレシーバ２２若しくはｆ２リモートレシーバ２３で受信すると、コントローラ２４が警報器２５及びフラッシャ２６を動作させる。
【００５１】
これにより、窓ガラス４を割った者に対する警告及び、周囲の人への報知を行い、窓ガラス４を割って車内に侵入し、車内の物品を盗もうとする行為を阻止しようとするシステムである。
尚、本実施例のセキュリティシステムの警報装置２０は、キーレスエントリー送信機（以降キーレス送信機と呼ぶ。）３０からの無線で送信される信号に対しても、ｆ１リモートレシーバ２２で受信して、コントローラ２４によりモータ２７を駆動してドア３のロック／アンロックの動作ができるようになっている。
【００５２】
次に、本実施例のセキュリティシステムは、図１に示すように、ガラス割れ検出装置２が、車両のドア３の窓ガラス４に装着されたＴｘモジュール１０、アンテナ８、及び、窓ガラス４に貼り付けられたセンサ９で構成され、警報装置２０が、アンテナ２１、ｆ１リモートレシーバ２２、ｆ２リモートレシーバ２３、コントローラ２４、警報器２５、フラッシャ２６、及びドアのロック／アンロック用のモータ２７で構成されている。
【００５３】
また、本実施例の車両には、図示していないがドア３が４つあり、窓ガラス４、センサ９、Ｔｘモジュール１０、アンテナ８は、各ドア３に装備されている。尚、センサ９は、透明導電膜であり、光の透過性が良く窓ガラス４に貼り付けても窓ガラス４の透過視認性を損なうことなく、端点間で一定の抵抗値をもち、ガラスの割れなどにより寸断されると、抵抗値が増加する。
【００５４】
また、Ｔｘモジュール１０は図２に示すように、Ｔｘモジュール１０全体に電力を供給するバッテリ１８、抵抗器である分圧抵抗１７、コンパレータ１６、Ｔｘモジュール１０全体の動作を制御するマイコン１５、スイッチ１１、周波数「ｆ１」の正弦波を出力するｆ１発振器１２、周波数「ｆ２」の正弦波を出力するｆ２発振器１３、マイコン１５からの信号を変調して出力する変調器１４、窓ガラス割れの模擬に用いる模擬信号スイッチ５、ガラス割れ検出装置２の取り付け位置を表すディップスイッチ１９で構成されている。
【００５５】
また、センサ９と分圧抵抗１７は、直列に接続され、この両端にバッテリ１８の電圧が印加される。そして、センサ９と分圧抵抗１７の接続点の電圧、即ち、センサ９の抵抗値と分圧抵抗１７の抵抗値とでバッテリ１８の電圧を分圧した電圧が、コンパレータ１６の入力電圧となる。
【００５６】
また、コンパレータ１６は、入力電圧に対する比較元となる基準電圧を、センサ９と分圧抵抗１７での分圧値の低い方にマージンを持たせた値で設定してあり、入力電圧が基準電圧より高い場合は、「Ｌｏ」を出力し、入力電圧が基準電圧より低い場合に「Ｈｉ」を出力する。例えば、センサ９の抵抗値が１００ｋΩで、分圧抵抗１７の抵抗値が２００ｋΩで、バッテリ１８の電圧が３Ｖの場合、コンパレータ１６への入力電圧は２Ｖとなる。そして、コンパレータ１６の基準電圧を１．５Ｖに設定しておけば、窓ガラスが割れていない状態では、コンパレータ１６への入力電圧が基準電圧より大きいためコンパレータ１６の出力は「Ｌｏ」であり、ガラスが割られてセンサ９の抵抗値が２倍より大きく増大すると、コンパレータ１６への入力電圧が基準電圧より低くなる（センサ９が完全な断線状態の場合は０Ｖ）ためコンパレータ１６の出力は「Ｈｉ」となる。
【００５７】
また、マイコン１５は、コンパレータ１６の出力が「Ｈｉ」になると、図３に示すフローチャートによる処理手順（詳細は後述する。）に従い、変調器１４に、窓ガラス４が割れたことを表すガラス割れ信号であるフレーム信号を出力する。
【００５８】
また、スイッチ１１は、変調器１４への入力を、ｆ１発振器１２、ｆ２発振器１３、及び、空き端子の中から、マイコン１５からのコマンドにより選択し切り換える。
また、変調器１４は、スイッチ１１で選択された発振器からの正弦波信号を基にした搬送波に、マイコン１５からのフレーム信号を変調して、アンテナ８から送信する。
【００５９】
また、ｆ１リモートレシーバ２２は、アンテナ１１を介して周波数「ｆ１」の搬送波に変調されたフレーム信号を受信できるようになっており、ｆ２リモートレシーバ２３は、アンテナ１１を介して周波数「ｆ２」の搬送波に変調されたフレーム信号を受信できるようになっている。例えば、ｆ１、ｆ２リモートレシーバ２２、２３は、受信したフレーム信号の内容に応じたコマンドをコントローラ２４に出力する。
【００６０】
また、コントローラ２４は、ｆ１、ｆ２リモートレシーバ２２、２３からコマンドを受けると、コマンドに応じた動作を実施する。そして、ガラス割れ検出装置２からのガラス割れ信号であるフレーム信号によるコマンドの場合、警報器２５から警報音を出力させ、フラッシャ２６を点滅させる。また、キーレス送信機３０からのドア３のロック／アンロック信号であるフレーム信号によるコマンドの場合、モータ２７を駆動してドア３をロック若しくはアンロックする。尚、コントローラ２４は、ドア３をロック／アンロックする時に、警報器２５及びフラッシャ２６が動作している場合、これらの動作を停止させる。
【００６１】
また、ディップスイッチ１９は、２つの開閉接点からなり、車両の製造時、Ｔｘモジュール１０を取りつける窓ガラス４の位置に応じて接点の状態が設定される。例えば、４つの窓ガラス４を窓ガラス４Ａ、４Ｂ、４Ｃ、４Ｄのように識別すると、２つの接点の状態は、窓ガラス４Ａでは、「開開」、窓ガラス４Ｂでは「開閉」、窓ガラス４Ｃでは「閉開」、窓ガラス４Ｄでは「閉閉」のように設定される。
【００６２】
また、模擬信号スイッチ５は、接点が閉の状態になると、コンパレータ１６の入力点が電気的接地点と繋がるように配置されている。そして、窓ガラス４が所定の位置において、ドア３に設けられた点検孔から専用の器具により、Ｔｘモジュール１０上に配置された模擬信号スイッチ５を押す（即ち閉にする。）ことが出来るようになっている。また、マイコン１５は、バッテリ１８からの電流を一時的に遮断するリセットボタンを備えており、同じく点検孔から、このリセットボタンが押されることにより、一旦バッテリ１８からの電源を切り、マイコン１５を起動初期の状態に戻すようになっている。これより、ガラス割れ検出装置２を、模擬信号スイッチ５を押して、ガラス割れ信号が送信される状態にした場合に、このリセットボタンを押すことにより、繰り返し送信されるガラス割れ信号の送信を止める。
【００６３】
ところで、Ｔｘモジュール１０は、出来るだけバッテリ１８の交換期間を長くするため、消費電力を低減するよう、バッテリを挿入して起動した初期の段階では、マイコン１５によりスリープモードとして消費電力を抑える状態となっている。このスリープモードでは、スイッチ１１、ｆ１発振器１２、ｆ２発振器１３、変調器１４には通電せず、マイコン１５も、できるだけ消費電力を抑えた動作をするようになっている。そして、コンパレータ１６の出力が「Ｈｉ」となると、マイコン１５が本来の動作状態となり、マイコン１５によりｆ１発振器１２、ｆ２発振器１３及び変調器１４に通電して起動したウェイクモードとなる。
【００６４】
また、ｆ１リモートレシーバ２２及びｆ２リモートレシーバ２３は、消費電力低減のために間欠的に起動して、受信動作するようになっており、フレーム信号を受信すると、フレーム信号が受信されている間、続けて受信動作を行うようになっている。このため、ｆ１、ｆ２リモートレシーバ２２、２３が起動していない期間中に送信されたフレーム信号に対しては、受信漏れや、フレーム信号の途中から受信する場合もあるため、受信されやすいように、Ｔｘモジュール１０は、同じフレーム信号３つを１セットとして送信するようにしている。
【００６５】
一方、キーレス送信機３０は、キーレス送信機３０上に配置されたボタンが押されると、押されたボタンに対応するフレーム信号（例えば、ドアのロック／アンロックを指令する信号）を、送信周波数「ｆ１」の無線で送信する。
次に、Ｔｘモジュール１０でガラス割れ信号を送信する際の、マイコン１５の処理手順を、図３に示すフローチャートにより説明する。
【００６６】
まず、Ｓ１１０で、コンパレータ１６の出力を読み込む。
次に、Ｓ１２０で、コンパレータ１６の出力が「Ｈｉ」となったか判定する。そして、「Ｈｉ」で無い場合（即ち「Ｌｏ」の場合）、Ｓ１１０に移行し、「Ｈｉ」の場合には、Ｓ１３０に移行する。
【００６７】
次に、Ｓ１３０で、マイコン１５の動作モードをスリープモードから、ウェイクモードに切り換え、ｆ１発振器１２、ｆ２発振器１３、変調器１４に通電して起動する。
次に、Ｓ１４０で、ディップスイッチ１９の接点の開閉状態を確認して、当該Ｔｘモジュール１０が設置された窓ガラス４を識別し、識別した窓ガラス４に応じたフレーム信号の内容及び休止期間を設定する。尚、休止期間は、窓ガラス４Ａでは「０」に、窓ガラス４Ｂでは「１」に、窓ガラス４Ｃでは「２」に、窓ガラス４Ｄでは「３」に、それぞれフレーム信号を３回送信する時間を乗じた時間を設定する。
【００６８】
次に　Ｓ１５０で、スイッチ１１に、ｆ１発振器１２を選択するようコマンドを出す。
次に、Ｓ１６０で、変調器１４にフレーム信号を３フレーム分出力する。
次に　Ｓ１７０で、スイッチ１１に、ｆ２発振器１３を選択するようコマンドを出す。
【００６９】
次に、Ｓ１８０で、変調器１４にフレーム信号を３フレーム分出力する。
次に　Ｓ１９０で、スイッチ１１に、スイッチ１１の空き端子を選択するようコマンドを出す。
次に、Ｓ２００で、Ｓ１４０で設定の休止期間だけウエイトする。
【００７０】
次に、Ｓ２１０で、フレーム信号の出力を開始してからの時間と、規定時間であるフレーム信号２４セット分の出力時間とを比較して、規定時間に達していない場合は、Ｓ１５０へ移行し、規定時間を越えている場合は、Ｓ２２０に移行する。
【００７１】
次に、Ｓ２２０で、スイッチ１１に、ｆ２発振器１３を選択するよう指令を出す。
次に、Ｓ２３０で、変調器１４にフレーム信号を３フレーム分出力する。
以降、Ｓ２３０を繰り返し実施する。
【００７２】
尚、Ｓ１４０で設定するフレーム信号の内容は、送信するデータを、フレーム信号の始まりであることを表すＢＯＦ（Ｂｅｇｉｎｎｉｎｇ　ｏｆ　Ｆｒａｍｅ）データと、終わりであることを表すＥＯＦ（Ｅｎｄ　ｏｆ　Ｆｒａｍｅ）データの中に挟み、中のデータには、信号の発信元を表すＩＤ情報、伝送したい内容のコマンド情報（今回の場合は、窓ガラス４が割れたことを表す情報）を入れる。また、ＩＤ情報の下位２ビットはディップスイッチ１９の接点の状態による窓ガラス４の識別情報となっている。例えば、窓ガラス４Ａからのフレーム信号の場合、ＩＤ情報の下位２ビットが「００」、同様に、窓ガラス４Ｂの場合「０１」、窓ガラス４Ｃの場合「１０」、窓ガラス４Ｄの場合「１１」に設定される。このように、Ｔｘモジュール１０から送信されるフレーム信号には、Ｔｘモジュール１０が取り付けられている窓ガラス４を識別するＩＤ情報が含まれるのを利用し、コントローラ２４は、ＩＤ情報を判別して他の車両からのフレーム信号を受けての誤動作をしないようになっている。
【００７３】
また、本実施例での、送信周波数「ｆ１」で３回、送信周波数「ｆ２」で３回フレーム信号を送信後、休止期間をとるといった、フレーム信号を送信する送信周波数、及び、送信タイミングの送信パターンは、マイコン１５に設定された、Ｓ１５０〜Ｓ２３０の処理ステップの内容、及び、その順番で決まり、この送信パターンを変更する場合には、マイコン１５に設定された、これらのステップの内容及び順番の変更により行う。
【００７４】
［効果］
以上説明したセキュリティシステムによれば、窓ガラス４Ａ〜Ｄが割られて、ガラス割れ検出装置２において、前述の処理手順でマイコン１５が動作すると、Ｔｘモジュール１０から図４に示す以下のようなフレーム信号が送信される。
【００７５】
まず、窓ガラス４Ａのガラス割れ検出装置２では、３つのフレーム信号を１セットとして、送信周波数「ｆ１」、「ｆ２」でのフレーム信号が交互に送信され、２４セット分送信後、送信周波数「ｆ２」のフレーム信号だけ送信される。また、窓ガラス４Ｂのガラス割れ検出装置２では、送信周波数「ｆ１」、「ｆ２」でのフレーム信号が１セットずつ送信されたあと、１セット分の休止期間が経過すると、再度送信周波数「ｆ１」、「ｆ２」でのフレーム信号の送信が繰り返される。そして２４セット分の時間が経過後、周波数「ｆ２」のフレーム信号だけ送信されるようになる。また、窓ガラス４Ｃのガラス割れ検出装置２では、窓ガラス４Ｂのガラス割れ検出装置２での休止期間が２セット分となった信号が送信される。また、窓ガラス４Ｄのガラス割れ検出装置２では、窓ガラス４Ｂのガラス割れ検出装置２での休止期間が３セット分となった信号が送信される。
【００７６】
そして、図４のように、窓ガラスＡが含まれる各窓ガラスが全く同時に割られた場合では、窓ガラス４Ａのガラス割れ検出装置２からのフレーム信号が、３セット目に混信しない状態となり警報装置２０で受信可能である。そして、窓ガラス４Ａが含まれず、窓ガラス４Ｂが含まれる窓ガラスが割られた場合は、４セット目に窓ガラスＢのガラス割れ検出装置２からの信号が、窓ガラス４Ｃと窓ガラス４Ｄだけが割られた場合は、５セット目に窓ガラスＣのガラス割れ検出装置２からの信号が、混信しない状態となり警報装置２０で受信可能である。
【００７７】
このように、窓ガラス４が複数同時に割られても、警報装置２０において、混信しない状態で、送信周波数「ｆ１」のフレーム信号を、ｆ１リモートレシーバ２２で、又は、送信周波数「ｆ２」のフレーム信号をｆ２リモートレシーバで受信して、コントローラ２４により、警報器２５及びフラッシャ２６を動作するこてができる。
【００７８】
一方、図４のような、全く同時に信号が送信される場合ばかりでは無く、例えば、図５に示すような若干ずれて送信される場合で、一番厳しい状況でもフレーム信号を繰り返し送信している内に、図４の矢印部のように、送信周波数「ｆ１」の信号では２３セット目、送信周波数「ｆ２」の信号では２４セット目には、窓ガラス４Ａのフレーム信号だけが送信する状態となり、警報装置２０でガラス割れ信号であるフレーム信号を受信できる。尚、１セットの中の信号の内、１フレーム分が正しく受信されればよいため、ｆ１、ｆ２リモートレシーバ２２、２３の動作状態により（停止期間中で無ければ）、もっと早い内に正しく受信されることが考えられるが、２４セットの期間をとっておけば、１セット分の信号が混信しない状態で続けて送信される状態があるため受信が確実にできる。
【００７９】
また、キーレス送信機３０若しくは別の信号源からの送信周波数「ｆ１」の無線信号が送信され、ガラス割れ検出装置２からの送信周波数「ｆ１」のフレーム信号が混信していても、送信周波数「ｆ２」のフレーム信号がｆ２リモートレシーバ２３で受信され、警報器２５及びフラッシャ２６を動作できる。このように、ガラス割れ検出装置２が、送信周波数「ｆ１」と「ｆ２」の２つの周波数で、フレーム信号を送信するため、冗長性が２倍となり、一つの送信周波数のフレーム信号が混信しても、もう一方の送信周波数でのフレーム信号が受信され、外部からの無線信号との混信により警報装置２０が動作しない可能性を低くできる。
【００８０】
また、フレーム信号の送信を開始してから２４セットより後は、送信周波数「ｆ１」のフレーム信号は送信されないため、キーレス送信機３０及びその他からの送信周波数「ｆ１」のフレーム信号をｆ１リモートレシーバ２２で受信することができ、ガラス割れ検出装置２からのガラス割れ信号が他の機器へ影響するのを抑えることができる。
【００８１】
また、模擬信号スイッチ５を押すと、コンパレータ１６の入力点が接地され、コンパレータ１６への入力信号が「０」Ｖとなり、コンパレータ１６の出力が「Ｈｉ」となる。すると、窓ガラス４が割られた時のように、マイコン１５が動作して、当該Ｔｘモジュール１０から窓ガラス４が割れたことを知らせるフレーム信号が出力される。これにより、窓ガラス４を割ること無く、当該セキュリティシステムが正常に働くか確認することが出来る。尚、Ｔｘモジュール１０を元の状態に戻すには、マイコン１５に設けられたリセットボタンを押すことにより、Ｔｘモジュール１０を再起動して初期状態に戻せる。このように、模擬信号スイッチ５のような簡易な機構で、当該セキュリティシステムの動作確認を行えるようにできる。
［本発明との対応関係］
上述した、ガラス割れ検出装置２の内、センサ９、分圧抵抗１７、バッテリ１８、コンパレータ１６で構成される箇所が、本発明の検出手段に該当し、マイコン１５が、本発明の送信制御手段に該当し、アンテナ８、切り換えスイッチ１１、変調器１４、ｆ１発振器１２、ｆ２発振器１３で構成される箇所が、本発明の送信手段に該当し、模擬信号スイッチ５が、本発明の模擬入力手段に該当する。
【００８２】
また、警報装置２０の内、アンテナ２１、ｆ１リモートレシーバ２２、ｆ２リモートレシーバ２３で構成される箇所が、本発明の受信手段に該当し、コントローラ２４、警報器２５及びフラッシャ２６が、本発明の警報手段に該当する。
［変形例］
以上、本発明の実施形態について説明したが、本発明は上記の具体的な実施形態に限定されず、このほかにも様々な形態で実施することができる。
【００８３】
例えば、本実施例では、車両の盗難防止用のセキュリティシステムについて説明したが、他の用途に用いたものでもよく、例えば、家屋のガラスに、それぞれガラス割れ検出装置２を取り付け、家屋への侵入のためなどによりガラスが割られると、ガラス割れ検出装置２からガラス割れ信号が送信され、警報装置２０を動作させる家庭用防犯装置などとして用いるものであってもよい。
【００８４】
また、Ｔｘモジュール１０は、送信周波数「ｆ１」及び送信周波数「ｆ２」によるフレーム信号を、スイッチ１１を切り替えて送信するようにしているが、変調器１４をもう一つ装備し、２つの送信周波数によるフレーム信号を、同時に送信するようにしても良い。また、Ｔｘモジュール１０での発信器の数を増やし、警報装置２０でのリモートレシーバも、これに対応するように増加して、送信するフレーム信号の送信周波数の種類を２種類より増やしたものでも良く、送信周波数の種類が増えると外部からの無線信号による混信の影響に対する冗長性がより高くなるため良い。
【００８５】
また、Ｔｘモジュール１０のマイコン１５による処理で、Ｓ２１０での、ガラス割れを検出してからの規定時間後は、Ｓ２３０で、送信周波数「ｆ２」のフレーム信号だけを送信するようにしているが、ガラス割れ検出装置２からのガラス割れ信号が他の機器へ影響するのを抑えるには、Ｓ２２０、Ｓ２３０を無くして、送信周波数「ｆ１」、「ｆ２」の両方のフレーム信号とも送信を止めるようにしても良し、Ｓ２３０の次に、キーレス送信機３０が出力する信号の出力時間に対する期間などから規定した期間になったかを判定する処理を追加し、判定を満足すると、再び送信周波数「ｆ１」、「ｆ２」でのフレーム信号を送信するようにしても良い。
【００８６】
また、ガラス割れ検出装置２が送信するガラス割れ信号であるフレーム信号の送信パターンは、前述のように３種類の混信の影響を抑えるように、送信周波数「ｆ１」でのフレーム信号と、送信周波数「ｆ２」でのフレーム信号と、休止期間とで構成しているが、単一の効果を示す送信パターンでガラス割れ信号を送信するガラス割れ検出装置であっても良い。例えば、外部からの無線信号との混信によるガラス割れ信号の伝達不良の影響を抑えることだけを考慮して、送信パターンを、休止期間が無く、送信周波数「ｆ１」と送信周波数「ｆ２」でのフレーム信号を繰り返し送信し続けるだけとしても良い。つまり、マイコン１５における処理のＳ１９０とＳ２００及びＳ２１０〜Ｓ２３０を無くして、Ｓ１８０の後はＳ１５０へ移行するようにしたものでも良い。
【００８７】
また、セキュリティシステム内部の無線信号による混信の影響を押さえることだけを考慮して、送信パターンを、送信周波数「ｆ１」のフレーム信号に休止期間を持たせて、繰り返し送信し続けるだけとしても良い。つまり、ｆ２発信器１３が無く、マイコン１５における処理のＳ１７０とＳ１８０及びＳ２１０〜Ｓ２３０を無くして、Ｓ２００の後は、Ｓ１５０へ移行するようにしたものでも良い。
【００８８】
また、ガラス割れ検出装置２から送信されるフレーム信号が、他の機器へ影響するのを抑えることだけを考慮して、送信周波数「ｆ１」のフレーム信号を繰り返し送信し、規定時間後、送信周波数「ｆ１」のフレーム信号の送信を停止するようにしたものでも良い。つまり、ｆ２発信器１３が無く、マイコン１５における処理のＳ１７０〜Ｓ２００及び、Ｓ２２０とＳ２３０を無くし、Ｓ２１０で「Ｙｅｓ」となると処理を終了するようにしたものでも良い。
【００８９】
また、これらを３つの効果の内２つを組み合わせて持つようにしたものでも良い。
更に、セキュリティシステムにて機能確認が不要な場合には、模擬信号スイッチ５を持たないＴｘモジュール１０であっても良い。
【図面の簡単な説明】
【図１】実施例の全体構成を表す図である。
【図２】実施例のＴｘモジュール１０の構成を説明する図である。
【図３】実施例のマイコン１５での処理手順のフローチャート図である。
【図４】実施例のＴｘモジュール１０から出力される信号を説明する図である。
【図５】実施例のＴｘモジュール１０から出力される信号を説明する図である。
【符号の説明】
２…ガラス割れ検出装置、３…ドア、４…窓ガラス、５…模擬信号スイッチ、８…アンテナ、９…センサ、１０…Ｔｘモジュール、１１…スイッチ、１２…ｆ１発振器、１３…ｆ２発振器、１４…変調器、１５…マイコン、１６…コンパレータ、１７…分圧抵抗、１８…バッテリ、１９…ディップスイッチ、２０…警報装置、２１…アンテナ、２２…ｆ１リモートレシーバ、２３…ｆ２リモートレシーバ、２４…コントローラ、２５…警報器、２６…フラッシャ、２７…モータ、３０…キーレスエントリー送信機。
【図１】
2004145653.tif 000003
【図２】
2004145653.tif 000004
【図３】
2004145653.tif 000005
【図４】
2004145653.tif 000006
【図５】
2004145653.tif 000007